(57)【要約】【課題】  水際で使用され、防水機能が必要な場面で使用するモールドモータにおいて、簡易かつ有効的な防滴機構を提供する。【解決手段】固定子鉄心にコイルを巻回した固定子をモールド樹脂によって覆いハウジングを形成したモールドモータにおいて、水滴がモータフレームに付着しても、内部に水分が浸入ないように、庇と、モールドフレームとを一体にして、モータの軸方向両面のブラケット穴及びシャフトを庇で覆って、水滴が入らないようにしたモータ。【選択図】  図１
2006211735.tif 000002
【特許請求の範囲】
【請求項１】
固定子コアに巻線を巻き回し、この固定子コアを絶縁性樹脂で覆った固定子と、この固定子の内径部に回転自在に配設された回転子と、回転子の軸孔に軸着している軸と、軸受を介して前記軸を保持しているブラケットとからなるモールドモータにおいて、
モールド成形時に、固定子の外郭を樹脂で覆うのと同時に、固定子の外周部より軸方向に庇状に延出するように形成することにより、水滴の侵入を防止したことを特徴とするモールドモータ。
【請求項２】
前記庇を軸方向の一方向或いは両方向に延出したことを特徴とする請求項１記載のモールドモータ。
【請求項３】
前記庇をモータの軸方向の側面部で、かつ、外周部より軸心側に形成したことを特徴とする請求項１記載のモールドモータ。
【請求項４】
前記庇の角度を円周方向の１２０゜〜２００゜の範囲で形成したことを特徴とする請求項１及び請求項２記載のモールドモータ。
【発明の詳細な説明】
【技術分野】
【０００１】
本発明は、防滴機能を持ったモールドモータに関するものである。
【背景技術】
【０００２】
従来より、固定子がモールド樹脂によって埋設されたモールドモータが提供されている。（特許文献１参照）
【特許文献１】特開２００４−９６９０５号
【発明の開示】
【発明が解決しようとする課題】
【０００３】
上記のようなモータにおいて、
モールドモータは、巻線された固定子コアを絶縁性モールド樹脂で覆った固定子と、この固定子の内径部に配設された回転子と、回転子の軸孔に挿入されている軸と、軸を保持しているブラケットとからなっている。
回転子の中心部に軸穴を設け、その軸穴にシャフトを挿入している。シャフトは軸受を介してフレーム及びブラケットに回転自在に保持されており、一端または両端は出力軸として外部に突出している。
【０００４】
このモールドモータはエアコンなどの機器内に取り付けられる場合が多い。
エアコン用モータは湿気の多い場所で使用するため、機器内で結露し、水滴が発生することが多い。
【０００５】
この様なモータの構成の際、水滴がモータにかかった場合、フレームを伝わって軸孔からモータ内部へ水滴が浸入する場合がある。軸孔から水滴が浸入することにより、モータ内部のベアリングを覆うグリスが劣化し、その結果、ベアリングの寿命が低下し、破損或いは故障の原因となる。また、固定子コアはモールドから露出しているので、露出面が錆びるなどの問題があった。
【０００６】
また、モールドフレームの隙間から水滴が浸入し、モールド内の基板が破損した事例がある。
【課題を解決するための手段】
【０００７】
請求項１に係る発明は、固定子コアに巻線を巻き回し、この固定子コアを絶縁性樹脂で覆った固定子と、この固定子の内径部に回転自在に配設された回転子と、回転子の軸孔に軸着している軸と、軸受を介して前記軸を保持しているブラケットとからなるモールドモータにおいて、モールド成形時に、固定子の外郭を樹脂で覆うのと同時に、固定子の外周部より軸方向に庇状に延出するように形成することにより、水滴の侵入を防止したことを特徴とするモールドモータである。
【０００８】
請求項２に係る発明は、前記庇を軸方向の一方向或いは両方向に延出したことを特徴とする請求項１記載のモールドモータである。
【０００９】
請求項３に係る発明は、前記庇をモータの軸方向の側面部で、かつ、外周部より軸心側に形成したことを特徴とする請求項１記載のモールドモータである。
【００１０】
請求項４に係る発明は、前記庇の角度を円周方向の１２０゜〜２００゜の範囲で形成したことを特徴とする請求項１及び請求項２記載のモールドモータである。
【発明の効果】
【００１１】
上方からフレーム３に水滴がかかる使用環境において、庇２を設けることによりブラケット６や軸受５に水滴がかかることを防止することができる。
【００１２】
また、固定子や回路基板９をモールドで成形する際、庇２をモールド材で形成し、モータフレーム３とともに一体成形すればよいので、容易に防滴機能を持たせることができる。さらに、防滴処理工程を省略することができるので、全体的にポンプの値段を下げる事ができる。
【発明を実施するための最良の形態】
【００１３】
以下、本発明の一実施形態について、図１と図２に基づいて説明する。
【００１４】
（１）本発明モータの構造
図１のようなモールドモータ１において、複数枚の鋼板を積層した固定子コア７と、そのコアに銅線を巻回したコイル８と、モータを駆動制御する素子を搭載した基板９とをモールド樹脂で覆っている。そして、固定子の内径部にはマグネットで構成される回転子１０が挿入されている。この回転子１０にシャフト４が嵌入されており、このシャフト４は軸受５を介して、ブラケット６及びフレーム３のハウジング部に回転自在に保持されている。
【００１５】
図１の様に、本発明の庇２は、モータフレーム３の外周部より軸方向に向けて延出する様に形成されている。そして、この庇２は上方からの水滴の落下及び両側のブラケット６a、６bの穴への侵入を防止するため、上方に設けられている。また、電源用コネクタ１１は庇２に対して下部に設けられている。
【００１６】
（２）動作状態
モータ１はシャフト４を横向きにするように使用機器に搭載し、庇２が設けられている面を上面にして、電源コネクタ１１を下方にする。
【００１７】
モータ１を搭載している機器に水がかかり、機器の内部に水滴が浸入して搭載しているモータ１に落下する。落下した水は庇２を伝わって外側へと流れていく。
【００１８】
（変更例１）
図１の一実施形態は、ブラシレス直流モータによる説明であるが、本発明は、これ以外に誘導電動機などのモータにも適用することができる。従って、誘導電動機は制御用の基板がなく、かつ、回転子はキャストロータでできているが、この様な構成のモータでもよい。
【００１９】
（変更例２）
一般的に、ブラケットがモータ両側に搭載しており、両側からの水滴の侵入に対して、本発明の庇を両方向に延出している。しかし、片側が水滴浸入の可能性がない場合は一方のみに延出していてもよい。
庇はシャフト全体を覆う大きさでも良いが、モータの形状に合わせて、シャフトの長さよりも短くしても良い。
【００２０】
（変更例３）
庇は円弧状に形成されているが、この形状に拘らず、水の侵入を防止できる形状であれば、屋根状やその他の形状でもよい。
【００２１】
（変更例４）
図１では、電源用コネクタは下部に設けられているが、庇の内側に配設してもよい。
【産業上の利用可能性】
【００２２】
本発明は、水際で稼動させるためのモータにとって、簡易に防滴機能を持たせることで有効なものである。
【図面の簡単な説明】
【００２３】
【図１】本発明のモータの側断面図である。
【図２】本発明の斜視図である。
【符号の説明】
【００２４】
１        モータ本体
２        庇
３        モールドフレーム
４        シャフト
５        軸受
６a、6b   ブラケット
７        固定子コア
８        コイル
９        回転基板
１０      回転子
１１      電源コネクタ
【図１】
2006211735.tif 000003
【図２】
2006211735.tif 000004